(57)【特許請求の範囲】
【請求項１】
ドラフトチャンバー本体の前面上部に下向きの送気口を有するエアカーテンボックスを設けるとともに、ドラフトチャンバー本体の処理室の上方前部に該処理室から隔離した照明用空間を設け、該空間内に照明具を取付けてなるドラフトチャンバーであって、前記照明用空間の前面で且つ前記ドラフトチャンバー本体の前面上部に開口部を形成し、前記エアカーテンボックスは、ボックス本体の前面に開閉扉を有し且つ内部に着脱自在なフィルターを有するとともに、後面に前記開口部と対応させて形成した背面開口部に前方から着脱自在な点検パネルを設け、前記照明具における着脱自在に取付けられた光源が前記開口部へ向けて配向可能としたことを特徴とするドラフトチャンバー。
【請求項２】
前記光源が前記開口部へ向けて配向するように前記照明具を回転可能に設けてなる請求項１記載のドラフトチャンバー。
【請求項３】
前記照明具の光源を下方の処理室へ向けて配向させた状態と、前記開口部へ向けて配向させた状態のそれぞれを維持するための係止手段を設けてなる請求項１又は２記載のドラフトチャンバー。
【請求項４】
ドラフトチャンバー本体の前面上部に下向きの送気口を有するエアカーテンボックスを設けてなるドラフトチャンバーであって、前記エアカーテンボックスは、ボックス本体の前面に開閉扉を有し且つ内部に着脱自在なフィルターを有するとともに、後面に前記ドラフトチャンバー本体の前面上部に形成した開口部と対応させて背面開口部を形成し、更に該背面開口部には前方から着脱自在な点検パネルを設けたことを特徴とするドラフトチャンバー。
【発明の詳細な説明】
【０００１】
【発明の属する技術分野】
本発明は、エアカーテン式のドラフトチャンバーに係わり、更に詳しくは処理室から隔離した照明用空間内に設けた照明具の光源の取替え作業や上部の排気ダクトのダンパー角度調節を含むメンテナンスが容易なドラフトチャンバーに関する。
【０００２】
【従来の技術】
従来、ドラフトチャンバー本体の処理室の上方前部に該処理室から隔離した照明用空間を設け、該空間内に照明具を取付けるとともに、処理室の上方後部に排気ダクトを設け、また本体の前面上部に一体的あるいはオプションでエアカーテンボックスを設けてなる構造のエアカーテン式のドラフトチャンバーは提供されている。
【０００３】
通常、ドラフトチャンバーの処理室内では、ガスの発生を伴う実験を行うので、前記照明具は処理室から完全に隔離された照明用空間内に取付けられている。また、処理室の内部には実験器具が装着されたままの場合が多く、そのような状況で照明具の光源が劣化したり切れたりした場合、処理室内に上半身を位置させて照明用空間を区画するカバーを取り外して照明具の光源を取り替えることは事実上不可能である。
【０００４】
従って、照明具の光源を取り替えるには、例えば、ドラフトチャンバーの上方に十分な空間があれば、ドラフトチャンバー本体の天板を外して、上方から手を差し入れて光源を取り替えるが、光源は照明具に下向きに取付けられており、またドラフトチャンバー本体の高さが高く、更にその前方にエアカーテンボックスが存在する場合には、非常に困難な作業となる。つまり、エアカーテンボックスがドラフトチャンバー本体に一体的に設けられている場合は勿論、オプションとしてドラフトチャンバー本体の前面上部に取付けることができるような構造となっている場合には、該本体の前面上部は固定的な前面パネルとなっており、このような場合に光源を取り替えるには、処理室内での実験をやむを得ず中断し、実験器具を除去した後に、処理室内側から行わなければならない。しかし、重要な実験を行っている場合にはこのような取替え作業は不可能であり、多少不便でも照明なしで一連の実験が終了するまで続けているのが現状である。
【０００５】
一方、ドラフトチャンバー本体の上部には排気ダクトと、その流量を調節するためのダンパーが設けられているが、通常ドラストチャンバー本体は横長の箱体であり、その上面中央部に排気ダクトが設けられているので、複数のドラフトチャンバーを並設した場合や、天井との間の空間が少ない場合には、側方から排気ダクトやダンパーの角度調節を含むメンテナンスは困難である。
【０００６】
【発明が解決しようとする課題】
本発明が前述の状況に鑑み、解決しようとするところは、ドラフトチャンバー本体の処理室の上方前部に該処理室から隔離した照明用空間を設け、該空間内に照明具を取付けたドラフトチャンバーにおいて、照明具の光源の取替え作業を本体の前面側から容易に行えるとともに、上部の排気ダクトのダンパー角度調節を含むメンテナンスを容易に行えるドラフトチャンバーを提供する点にある。
【０００７】
【課題を解決するための手段】
本発明は、前述の課題解決のために、ドラフトチャンバー本体の前面上部に下向きの送気口を有するエアカーテンボックスを設けるとともに、ドラフトチャンバー本体の処理室の上方前部に該処理室から隔離した照明用空間を設け、該空間内に照明具を取付けてなるドラフトチャンバーであって、前記照明用空間の前面で且つ前記ドラフトチャンバー本体の前面上部に開口部を形成し、前記エアカーテンボックスは、ボックス本体の前面に開閉扉を有し且つ内部に着脱自在なフィルターを有するとともに、後面に前記開口部と対応させて形成した背面開口部に前方から着脱自在な点検パネルを設け、前記照明具における着脱自在に取付けられた光源が前記開口部へ向けて配向可能としたドラフトチャンバーを構成した。
【０００８】
そして、前記光源が前記開口部へ向けて配向するように前記照明具を回転可能に設けてなること、前記照明具の光源を下方の処理室へ向けて配向させた状態と、前記開口部へ向けて配向させた状態のそれぞれを維持するための係止手段を設けてなることがより好ましい。
【０００９】
また、本発明は、ドラフトチャンバー本体の前面上部に下向きの送気口を有するエアカーテンボックスを設けてなるドラフトチャンバーであって、前記エアカーテンボックスは、ボックス本体の前面に開閉扉を有し且つ内部に着脱自在なフィルターを有するとともに、後面に前記ドラフトチャンバー本体の前面上部に形成した開口部と対応させて背面開口部を形成し、更に該背面開口部には前方から着脱自在な点検パネルを設けたことを特徴とするドラフトチャンバーを構成した。
【００１０】
【発明の実施の形態】
次に本発明の実施形態を添付図面に基づき更に詳細に説明する。図１は本発明に係るドラフトチャンバー１を示し、図２〜図４は各部の詳細を示し、図５〜図７は本発明の要部を示し、図中符号２はドラフトチャンバー本体、３は照明装置、４はエアカーテンボックスをそれぞれ示している。
【００１１】
本実施形態のドラフトチャンバー１は、ドラフトチャンバー本体２の処理室５の上方前部に該処理室５から隔離した照明用空間６を設け、該空間６内に照明具７を取付けるとともに、本体２の前面上部にエアカーテンボックス４を設けてなる構造である。そして、前記照明用空間６の前面で且つ前記ドラフトチャンバー本体の前面上部に開口部８を形成し、該開口部８を覆うように前記エアカーテンボックス４を設けている。ここで、前記エアカーテンボックス４は、ボックス本体９の前面に開閉扉１０を有し且つ内部に着脱自在なフィルター１１，１１を有するとともに、後面側に前方から着脱自在な点検パネル１２を有する構造である。そして、前記照明具７は、該照明具７に着脱自在に取付けた蛍光灯等の光源１３，１３が前記開口部８へ向けて配向するように回転可能に照明用空間６内の両側板１４，１４に取付けている。尚、前記エアカーテンボックス４が存在しない構造のドラフトチャンバー１では、前述の点検パネル１２はドラフトチャンバー本体２の開口部８を覆うように直接該本体２に着脱自在に取付けるものとする。
【００１２】
更に詳しくは、前記ドラフトチャンバー本体２は、前記処理室５の上方後部に排気ダクト口１５を設けるとともに、該排気ダクト口１５に連続して上方に流量調節用のダンパー１６Ａを備えた排気ダクト１６を設け、また上部を除く前面側に設けた前面開口部１７には上下に開閉自在なガラス扉１８を設け、更に処理室５の内部背面には実験器具を支持するための支持棒１９が取付けられた構造である。また、前記照明用空間６は、透光板２０によって前記処理室５から隔離して形成している。
【００１３】
また、前記エアカーテンボックス４は、通常は点検パネル１２を取付けた状態で、内部に送気の浄化、送気圧の平均化、送風の均等化を図るメッシュパネル等からなるフィルター１１，１１を装着し、開閉扉１０を閉じて、上部に設けた給気ダクト２１から送られてくる空気をフィルター１１，１１を通した後、下端の送気口２２に設けたパンチング板２３から吹き出し、所定位置まで上方へ開いたガラス扉１８の下方の前面開口部１７に向けてエアカーテンを形成し、一方、排気ダクト１６から排気することによって、処理室５内の臭気等を排気ダクト口１５から吸い込み、ドラフトチャンバー本体２の外部に臭気等が漏れないようにするのである。
【００１４】
前記エアカーテンボックス４は、ボックス本体９の後面に前記ドラフトチャンバー本体２の開口部８と対応させて背面開口部２４を形成し、該背面開口部２４は前方から点検パネル１２を取付けることによって塞ぐことができ、また点検パネル１２を外すことによって開放することができる。前記背面開口部２４は、前記照明用空間６の前方の開口部８に連通しており、開閉扉１０を開放し、フィルター１１，１１を取り除き、点検パネル１２を外せば、前記照明用空間６は前面側に開放されるとともに、前記排気ダクト１６のダンパー１６Ａも前面側に露出するのである。前記背面開口部２４はボッスク本体９の横方向全長にわたり形成されており、前記点検パネル１２は両側部をボッスク本体９の側面板９Ａ，９Ａの後端部に着脱自在にネジ止めしている（図示せず）。尚、前記フィルター１１は、エアカーテンボックス４の両側面の奥行方向に固定した受部２５，２５に両側縁を載置して着脱自在に装着できるようになっている。ここで、前記フィルター１１の枠体には、周囲にシール材を設け、ボックス本体９の内部に装着した状態で前記開閉扉１０を閉じれば、シール材が前記点検パネル１２やボックス本体９の両側面及び開閉扉１０の内面に圧接し、シールするのであり、特別なネジ等の被着材を設けてない。また、前記開閉扉１０は、両下端部を蝶番２６，２６にて上下開閉自在に蝶着されているとともに、閉止状態を維持するための係着具（図示せず）を上部に設けている。
【００１５】
そして、前記照明装置３は、照明具７の両側端を照明用空間６を形成する両側板１４，１４に、水平な支軸２７，２７にて回転可能に取付けるとともに、前記照明具７の光源１３を下方の処理室５へ向けて配向させた状態と、前記開口部８へ向けて配向させた状態のそれぞれを維持するための係止手段２８を設けたものである。本実施形態では、図３及び図４に示すように前記係止手段２８として、照明具７の前端一側部又は両側部に側方へ向けて出没する閂杆２９を設けるとともに、該閂杆２９に対応する側板１４に複数の係合孔３０，…を設けて構成し、所定の係合孔３０に閂杆２９を係合させて前記照明具７を不動状態に維持するのである。具体的には、前記照明具７が水平状態即ち光源１３が下方の処理室５へ向いた状態、前記照明具７が垂直状態即ち光源１３が開口部８へ完全に向いた状態、及び前記照明具７が約４５度の傾斜状態即ち光源１３が開口部８へ傾斜して向いた状態において、それぞれ閂杆２９を係合する位置に係合孔３０，…を設けたものを例示した。
【００１６】
通常の使用状態では、前記照明具７は水平になるように係合孔３０に閂杆２９を係合させており、下方の処理室５へ向いた光源１３，１３によって該処理室５内を照らすようになっている。そこで、前記光源１３が劣化したり、切れたりした場合には、前記エアカーテンボックス４の開閉扉１０を開放し、内部のフィルター１１，１１を取り除くとともに、点検パネル１２を外して、背面開口部２４を開放し、エアカーテンボックス４の内部を通して前記照明具７を露出させる（図５参照）。このままでは、照明具７の光源１３は下方を向いていて、その脱着は困難であるので、前記閂杆２９を係合孔３０から抜いて、該照明具７を支軸２７，２７を中心に前記光源１３が開口部８に向くように配向させ、傾斜状態又は垂直状態に設定して再び閂杆２９を対応する係合孔３０に係合させてその状態を維持する（図６及び図７参照）。そして、エアカーテンボックス４の内部から背面開口部２４及びドラフトチャンバー本体２の開口部８を通して手を差し入れて、該開口部８へ向いた状態の光源１３を脱着するのである。目的の光源１３を取り替えた後、照明具７を光源１３が下方へ向いた元の状態に戻し、前記点検パネル１２を取付けて背面開口部２４を塞ぎ、フィルター１１，１１を所定位置に装着し、開閉扉１０を閉じて一連の作業が終了するのである。これらの光源１３の取替え作業は、全てドラフトチャンバー１の前面側から行うことができるのである。また、同様に、ドラフトチャンバー本体２の上面中央部に設けたダンパー１６Ａを備えた排気ダクト１６を点検したり、ダンパー１６Ａの角度を調節して流量を調節するなどのメンテナンスも開口部８から行うことができる。更に、ドラフトチャンバー本体２の上部には、図示しないが前面開口部１７を開閉するガラス扉１８の駆動部を設けてあり、この駆動部のメンテナンスも同様に行うことができる。
【００１７】
しかし、本発明においては、前記照明具７の光源１３を前記処理室５と開口部８へ向けるための回転機構は支軸２７による枢支機構に限定されるものではなく、照明具７は自在アームやリンク機構を介して照明用空間６内に取付けることも考慮される。同様に、本発明においては、照明具７を所定の向きに配向させた状態を維持するための係止手段２８は、前記閂杆２９と係合孔３０によるものに限定されるものではなく、各種の係止構造を採用し得るものであるが、手を前記エアカーテンボックス４の内部から背面開口部２４及びドラフトチャンバー本体２の開口部８を通して差し入れて容易に操作できることが必要である。
【００１８】
次に、図８〜図１０に基づいて、光源１３が前記開口部８へ向けて配向可能とした照明具７の他の取付構造を説明する。前記照明具７は、下向き開放の断面略コ字形のフード３１の内部に沿って蛍光灯等の光源１３を着脱自在に取付け、前記フード３１の両端部は上部に段状に係止部３２，３２を突設している。また、前記照明用空間６の両側板１４，１４に沿って保持金具３３，３３を固定し、あるいは側板１４自体を保持金具３３となし、この保持金具３３には上部に前記照明具７の係止部３２を載支する肩部３４を段設するとともに、上端に形成した内向きの折返し片３５には、前記フード３１の後端を当止する段部３６を形成している。そして、前記照明具７を照明用空間６内に装着した状態では、前記フード３１の下部は、両保持金具３３，３３間に嵌合し、両端の係止部３２，３２は保持金具３３，３３の肩部３４，３４に載支され且つフード３１の後端が段部３６，３６に当止し、光源１３は下方の透光板２０に面している。
【００１９】
そして、前記照明具７の光源１３を交換する場合には、前述の如くエアカーテンボックス４の開閉扉１０を開放し、フィルター１１，１１を外し、点検パネル１２を前方ヘ外して開口部８を開放する。そして、図１１に示すように、ボックス本体９の前面から手を差し入れて、フード３１を持って持ち上げながら、光源１３が開口部８へ向くように配向させ、片手でフード３１を支持しながら光源１３を交換し、その後は前述のように所定位置に照明具７を装着するのである。
【００２０】
【発明の効果】
以上にしてなる本発明のドラフトチャンバーは、ドラフトチャンバーの前面側から点検パネルを外して開口部を露出させ、光源が開口部へ向けて配向するように照明具を変位させてから、エアカーテンボックスの内部から開口部を通して手を差し入れて光源を簡単に取り替えることができ、その光源の一連の取替え作業はドラフトチャンバーの前面側から行うことができるので、処理室内に実験器具を配設したままでも行うことができる。また、ドラフトチャンバー本体の処理室の上方前部に該処理室から隔離した照明用空間を設け、該空間内に照明具を取付けるとともに、本体の前面上部にエアカーテンボックスを設けてなるドラフトチャンバーであっても、エアカーテンボックスの開閉扉を開け、内部のフィルターを取り除くとともに、点検パネルを外した後に前記同様に光源の取替え作業を容易に行えるのである。また、ドラフトチャンバー本体の上部に設けた排気ダクトやその流量調節用のダンパーの角度調節を含むメンテナンスを開口部を通じて容易に行えるのでるあ。
【００２１】
また、前記照明具の光源を下方の処理室へ向けて配向させた状態と、前記開口部へ向けて配向させた状態を維持するための係止手段を設けた場合には、照明具を動かないように片手で支持する必要がなく、両手で光源を持って取替え作業を行えるので、その作業が容易であるばかりでなく、光源が不意に他の部分に衝突して破損する恐れも少ないのである。
【図面の簡単な説明】
【図１】本発明に係るドラフトチャンバーの全体簡略断面図である。
【図２】エアカーテンボックスの分解斜視図である。
【図３】本発明の照明装置の要部を示す簡略斜視図である。
【図４】係止手段の一例を示す斜視図である。
【図５】エアカーテンボックスの開閉扉を開け、フィルター及び点検パネルを外した状態を示す部分断面図である。
【図６】光源が開口部へ向くように照明具を約４５度傾斜させた取替え可能な状態を示す部分断面図である。
【図７】光源が完全に開口部へ向くように照明具を垂直にした取替え可能な状態を示す部分断面図である。
【図８】照明装置の他の実施形態を示す部分簡略断面図である。
【図９】同じく簡略平面図である。
【図１０】同じく要部の分解斜視図である。
【図１１】同じく光源を開口部へ向けた状態を示す部分簡略断面図である。
【符号の説明】
１  ドラフトチャンバー    ２  ドラフトチャンバー本体
３  照明装置              ４  エアカーテンボックス
５  処理室                ６  照明用空間
７  照明具                ８  開口部
９  ボックス本体          １０  開閉扉
１１  フィルター          １２  点検パネル
１３  光源                １４  側板
１５  排気ダクト口        １６  排気ダクト
１７  前面開口部          １８  ガラス扉
１９  支持棒              ２０  透光板
２１  給気ダクト          ２２  送気口
２３  パンチング板        ２４  背面開口部
２５  受部                ２６  蝶番
２７  支軸                ２８  係止手段
２９  閂杆                ３０  係合孔
３１  フード              ３２  係止部
３３  保持金具            ３４  肩部
３５  折返し片            ３６  段部
【図１】
0003692439.tif 000002
【図２】
0003692439.tif 000003
【図３】
0003692439.tif 000004
【図４】
0003692439.tif 000005
【図５】
0003692439.tif 000006
【図６】
0003692439.tif 000007
【図７】
0003692439.tif 000008
【図８】
0003692439.tif 000009
【図９】
0003692439.tif 000010
【図１０】
0003692439.tif 000011
【図１１】
0003692439.tif 000012